(57)【要約】【課題】  予め印刷された感応性要素を有する連続形式媒体を安全に進める方法及びシステムを提供している。【解決手段】感応性要素においてインプリントすることなしに媒体を進めるためのコマンドが識別される。感応性要素を無効にするセキュリティ画像が識別される。セキュリティ画像は、その場合、媒体が感応性要素を無効にするように進められるにつれて、感応性要素にインプリントされる。実施形態は、感応性要素をインプリントすることなしに媒体を進めるためのプリンタにおける処理不実行（ＮＰＲＯ）コマンドを検出することと、媒体が感応性要素を無効にするように進められるにつれて感応性要素に対してセキュリティ画像をインプリントすることとを有する。更に、実施形態は、感応性要素をインプリントすることなしに媒体を進めるための空き論理ページをプリントジョブが有することを検出することと、媒体が感応性要素を無効にするように進められるにつれて感応性要素に対してセキュリティ画像をインプリントすることとを有する。【選択図】図１
2011245863.tif 000002
【特許請求の範囲】
【請求項１】
インプリントするための予め印刷された感応性要素を有する連続形式媒体に印刷するように作動するプリントエンジン；及び
前記感応性要素にインプリントすることなしに前記媒体を進めるためのコマンドを検出し、前記感応性要素を無効にするためのセキュリティ画像を識別し、前記媒体が前記感応性要素を無効にするように進められるにつれて前記感応性要素に前記セキュリティ画像をインプリントするように前記プリントエンジンに命令するように、作動する印刷制御器；  を有するプリンタ。
【請求項２】
請求項１に記載のプリンタであって、前記印刷制御器は、進められるようになっている前記媒体において感応性要素を位置付け、位置付けられた前記感応性要素に前記セキュリティ画像をインプリントするように前記プリントエンジンに命令するように更に作動する、プリンタ。
【請求項３】
請求項１に記載のプリンタであって、前記印刷制御器は、前記感応性要素においてインプリントすることなしに前記媒体を進めるためのプリントジョブにおいて空き論理ページを受信することに応答して前記セキュリティ画像をインプリントするように更に作動する、プリンタ。
【請求項４】
請求項１に記載のプリンタであって、前記印刷制御器は、前記感応性要素においてインプリントすることなしに前記媒体を進めるための前記プリンタにおける処理不実行（ＮＰＲＯ）コマンドを受信することに応答して前記セキュリティ画像をインプリントするように更に作動する、プリンタ。
【請求項５】
請求項４に記載のプリンタであって：
前記媒体を進めるための前記ＮＰＲＯコマンドを生成するように作動するユーザインタフェース；
を更に有する、プリンタ。
【請求項６】
請求項１に記載のプリンタであって、前記印刷制御器は、当該プリンタが磁気着色剤を装着されていることを判定し、前記磁気着色剤を装着されていることを判定することに応答して前記セキュリティ画像をインプリントするように前記プリントエンジンに命令するように更に作動する、プリンタ。
【請求項７】
請求項１に記載のプリンタであって、前記感応性要素は、インプリント可能照合基準及びインプリント可能識別カードの少なくとも一を有する、プリンタ。
【請求項８】
請求項７に記載のプリンタであって、前記インプリント可能識別カードは政府機関識別可能カードを含む、プリンタ。
【請求項９】
請求項１に記載のプリンタであって、前記セキュリティ画像は、“交渉の余地のない”、“無効な”及び“キャンセルした”の少なくとも１つを表すテキストを有する、プリンタ。
【請求項１０】
連続形式媒体を用いてプリンタにおいて作動する方法であって、前記連続形式媒体はインプリントのための予め印刷された感応性要素を有する、方法であり：
前記感応性要素においてインプリントすることなしに前記媒体を進めるためのプリンタにおけるコマンドを検出する段階；
前記感応性要素を無効にするためのセキュリティ画像を識別する段階；及び
前記媒体が前記感応性要素を無効にするように進められるにつれて、前記感応性要素に対して前記セキュリティ画像をインプリントする段階；
を有する方法。
【請求項１１】
請求項１０に記載の方法であって：
進められるようになっている前記媒体において感応性要素を位置付ける段階；
を更に有する方法であり、
前記インプリントする段階は、位置付けられた前記感応性要素に前記セキュリティ画像をインプリントする段階を更に有する；
方法。
【請求項１２】
請求項１０に記載の方法であって、前記コマンドを検出する前記段階は：
前記プリンタのプリントジョブが、前記セキュリティ要素をインプリントすることなしに前記媒体を進めるための空き論理ページを有する、ことを検出する段階；
を更に有する、方法。
【請求項１３】
請求項１０に記載の方法であって、前記コマンドを検出する前記段階は：
前記セキュリティ要素をインプリントすることなしに前記媒体を進めるための前記プリンタにおいて処理不実行（ＮＰＲＯ）コマンドを検出する段階；
を更に有する、方法。
【請求項１４】
請求項１３に記載の方法であって、前記ＮＰＲＯコマンドは、前記プリンタにおいてユーザインタフェースにより生成される、方法。
【請求項１５】
請求項１０に記載の方法であって：
前記プリンタは磁気着色剤を装着されていることを判定する段階；
を更に有する方法であり、
前記セキュリティ画像をインプリントする前記段階は、前記磁気着色剤を装着されていることを判定することに応答して実行される；
方法。
【請求項１６】
請求項１０に記載の方法であって、前記感応性要素は、インプリント可能照合基準及びインプリント可能識別カードの少なくとも一を有する、方法。
【請求項１７】
請求項１６に記載のプリンタであって、前記インプリント可能識別カードは政府機関識別可能カードを含む、プリンタ。
【請求項１８】
請求項１０に記載のプリンタであって、前記セキュリティ画像は、“交渉の余地のない”、“無効な”及び“キャンセルした”の少なくとも１つを表すテキストを有する、プリンタ。
【請求項１９】
演算システムにより実行されるときに、インプリントするための予め印刷された感応性要素を有する連続形式媒体を安全に進める方法を実行するために動作するプログラムされた命令を具体的に実行するコンピュータ読み取り可能媒体であって、前記方法は：
前記感応性要素においてインプリントすることなしに前記媒体を進めるためのプリンタにおけるコマンドを検出する段階；
前記感応性要素を無効にするためのセキュリティ画像を識別する段階；及び
前記媒体が前記感応性要素を無効にするように進められるにつれて、前記感応性要素に前記セキュリティ画像をインプリントする段階；
を有する、コンピュータ読み取り可能媒体。
【請求項２０】
請求項１９に記載のコンピュータ読み取り可能媒体であって、前記方法は：
進められるようになっている前記媒体において感応性要素を位置付ける段階；
を更に有する、コンピュータ読み取り可能媒体であり、
前記インプリントする段階は、前記位置付けられた感応性要素に前記セキュリティ画像をインプリントする段階を更に有する；
コンピュータ読み取り可能媒体。
【請求項２１】
請求項１９に記載のコンピュータ読み取り可能媒体であって、前記のコマンドを検出する段階は：
前記プリンタのプリントジョブが、前記セキュリティ要素をインプリントすることなしに前記媒体を進めるための空き論理ページを有する、ことを検出する段階；
を更に有する、コンピュータ読み取り可能媒体。
【請求項２２】
請求項１９に記載のコンピュータ読み取り可能媒体であって、前記コマンドを検出する前記段階は：
前記セキュリティ要素をインプリントすることなしに前記媒体を進めるための前記プリンタにおいて処理不実行（ＮＰＲＯ）コマンドを検出する段階；
を更に有する、コンピュータ読み取り可能媒体。
【請求項２３】
請求項２２に記載のコンピュータ読み取り可能媒体であって、前記ＮＰＲＯコマンドは、前記プリンタにおいてユーザインタフェースにより生成される、コンピュータ読み取り可能媒体。
【請求項２４】
請求項１９に記載のコンピュータ読み取り可能媒体であって、前記方法は：
前記プリンタは磁気着色剤を装着されていることを判定する段階；
を更に有するコンピュータ読み取り可能媒体であり、
前記セキュリティ画像をインプリントする前記段階は、前記磁気着色剤を装着されていることを判定することに応答して実行される；
コンピュータ読み取り可能媒体。
【請求項２５】
請求項１９に記載のコンピュータ読み取り可能媒体であって、前記感応性要素は、インプリント可能照合基準及びインプリント可能識別カードの少なくとも一を有する、コンピュータ読み取り可能媒体。
【請求項２６】
請求項２５に記載のコンピュータ読み取り可能媒体であって、前記インプリント可能識別カードは政府機関識別可能カードを含む、コンピュータ読み取り可能媒体。
【請求項２７】
請求項１９に記載のコンピュータ読み取り可能媒体であって、前記セキュリティ画像は、“交渉の余地のない”、“無効な”及び“キャンセルした”の少なくとも１つを表すテキストを有する、コンピュータ読み取り可能媒体。
【請求項２８】
連続形式媒体に対して印刷するように作動するプリントエンジンであって、前記連続形式媒体は、前記プリントエンジンによりインプリントする予め印刷された照合基準を有する、プリントエンジン；
ユーザによる入力に応答して前記媒体を進めるための処理不実行（ＮＰＲＯ）コマンドを生成するように作動するユーザインタフェース；及び
前記ＮＰＲＯコマンドを検出し、前記照合基準を無効にするセキュリティ画像を識別し、前記媒体が前記照合基準を無効にするように進められるにつれて、前記照合基準に対して前記セキュリティ画像をインプリントするように前記プリントエンジンに命令するように作動する印刷制御器；
を有するプリンタ。
【請求項２９】
請求項２８に記載のプリンタであって、前記印刷制御器は、進められるようになっている前記媒体において照合基準を位置付け、位置付けられた前記照合基準に前記セキュリティ画像をインプリントするように前記プリントエンジンに命令するように更に作動する、プリンタ。
【請求項３０】
請求項２８に記載のプリンタであって、前記印刷制御器は、当該プリンタが磁気着色剤を装着されていることを判定し、前記磁気着色剤を装着されていることを判定することに応答して前記セキュリティ画像をインプリントするように前記プリントエンジンに命令するように更に作動する、プリンタ。
【請求項３１】
連続形式媒体に対して印刷するように作動するプリントエンジンであって、前記連続形式媒体は、前記プリントエンジンによりインプリントする予め印刷された識別カードを有する、プリントエンジン；
ユーザによる入力に応答して前記媒体を進めるための処理不実行（ＮＰＲＯ）コマンドを生成するように作動するユーザインタフェース；及び
前記ＮＰＲＯコマンドを検出し、前記識別カードを無効にするセキュリティ画像を識別し、前記媒体が前記識別カードを無効にするように進められるにつれて、前記識別カードに対して前記セキュリティ画像をインプリントするように前記プリントエンジンに命令するように作動する印刷制御器；
を有するプリンタ。
【請求項３２】
請求項３１に記載のプリンタであって、前記印刷制御器は、進められるようになっている前記媒体において識別カードを位置付け、位置付けられた前記識別カードに前記セキュリティ画像をインプリントするように前記プリントエンジンに命令するように更に作動する、プリンタ。
【請求項３３】
請求項３１に記載のプリンタであって、前記印刷制御器は、当該プリンタが磁気着色剤を装着されていることを判定し、前記磁気着色剤を装着されていることを判定することに応答して前記セキュリティ画像をインプリントするように前記プリントエンジンに命令するように更に作動する、プリンタ。
【発明の詳細な説明】
【技術分野】
【０００１】
本発明は、生産印刷システムの分野に関し、特に、媒体が進められ、媒体が感応性を有するときに、印刷システムにおいて連続形式媒体を無効にすることに関する。
【背景技術】
【０００２】
連続形式媒体を用いる生産印刷システムは典型的には、複数のポストプリントステーションを有し、それらのポストプリントステーションを介して、連続形式媒体が進行する。それらのステーションは、切断ステーション、折り畳みステーション、ステープリングステーション等を有することが可能である。印刷システムの大きさ及び複雑性のために、大きい直線状の媒体経路が、媒体における実際のインプリントの出口から印刷後ステーションまで存在し得る。例えば、媒体がインプリントステーションから次のステーション、例えば、切断ステーションまで移動しなければならない距離は、２０フィート又はそれ以上の直線状の距離であり得る。ある場合には、媒体は、次のステーションまで連続紙を供給するように、インプリント処理の終わりにおいて進められる。この場合、かなり多くの量の媒体が、インプリントステーションの終わりにおいて印刷されないまま移動する。
【０００３】
典型的な紙と異なり、一部の連続形式媒体はより高い感応性を有する。例えば、連続形式媒体は、プレプリント照合基準ブランク、政府機関識別カード、保険カード等を有することが可能である。インプリントステーションの終わりにポストプリントステーションの方にそのような媒体を進めるとき、かなり多くの量のそのような媒体は印刷されないままであり、従って、潜在的なアカウンタビリティ及び安全性の問題をもたらし得る。
【発明の概要】
【課題を解決するための手段】
【０００４】
本明細書で説明している実施形態は、予め印刷された感応性要素を有する連続形式媒体を安全に進めるためのシステム及び方法を提供する。感応性要素にインプリントすることなく媒体を進めるためのコマンドが検出される。感応性要素を無効にするためのセキュリティ画像が識別される。その場合、媒体が感応性要素を無効にするように進められるにつれて、セキュリティ画像が感応性要素にインプリントされる。
【０００５】
一実施形態においては、プリントエンジン及び印刷制御器を有するプリンタについて開示されている。プリントエンジンは、インプリントのために予め印刷された感応性要素を有する連続形式媒体に印刷するように作動する。印刷制御器は、感応性要素にインプリントすることなく、媒体を進めるコマンドを検出し、感応性要素を無効にするセキュリティ画像を識別し、媒体が感応性要素を無効にするように進められるにつれて感応性要素にセキュリティ画像をインプリントするように作動する。
【０００６】
他の実施形態においては、連続形式媒体を用いるプリンタにおいて作動する方法が開示されている。その媒体は、インプリントのための予め印刷された感応性要素を有する。その方法に従って、感応性要素にインプリントすることなしに媒体を進めるコマンドがプリンタにおいて検出される。感応性要素を無効にするためのセキュリティ画像が識別される。感応性画像は、媒体が感応性要素を無効にするように進められるにつれて、感応性要素にインプリントされる。
【０００７】
他の例示としての実施形態について、以下に詳述する。
本発明の一部の実施形態について、以下、添付図を参照しながら、単なる例示として説明する。同じ参照番号は、全ての図において同じ要素又は同じ種類の要素を表している。
【図面の簡単な説明】
【０００８】
【図１】例示としての実施形態において連続形式媒体を安全に進める印刷システムを示すブロック図である。
【図２】例示としての実施形態において連続形式媒体に予め印刷された感応性要素を示す図である。
【図３】例示としての実施形態において感応性要素を安全に進める方法を示すフローチャートである。
【図４】例示としての実施形態において図２の感応性要素にセキュリティ画像をインプリントした結果を示す図である。
【図５】例示としての実施形態において磁気着色剤が存在するときに感応性媒体を安全に進める方法を示すフローチャートである。
【図６】例示としての実施形態において感応性要素を位置付けて、連続形式媒体を安全に進める方法を示すフローチャートである。
【図７】例示としての実施形態において連続形式媒体を安全に進める他の印刷システムを示すブロック図である。
【図８】例示としての実施形態において連続形式媒体における予め印刷された照合基準を示す図である。
【図９】例示としての実施形態において、プリンタで処理不実行コマンドを検出することに応答して照合基準ストックを安全に進める方法を示すフローチャートである。
【図１０】例示としての実施形態において図８の予め印刷された照合基準にセキュリティ画像をインプリントした結果を示す図である。
【図１１】例示としての実施形態において連続形式媒体における予め印刷された識別カードを示す図である。
【図１２】例示としての実施形態において、プリンタで処理不実行コマンドを検出することに応答して識別カードストックを安全に進める方法を示すフローチャートである。
【図１３】例示としての実施形態において図１１の予め印刷された識別カードにセキュリティ画像をインプリントした結果を示す図である。
【図１４】例示としての実施形態において所望の機能を実行するように、コンピュータ読み取り可能媒体実行プログラム命令を実行するように動作するコンピュータシステムを示す図である。
【発明を実施するための形態】
【０００９】
図及び以下の説明は、本発明の特定の例示としての実施形態についてのものである。従って、当業者は、本明細書では明白に図示又は説明していないが、本発明の原理を具体化し、本発明の範囲内に網羅される種々の実施形態を案出することができることを理解することができる。更に、本明細書に記載されている実施例は何れも、本発明の原理を理解することを目的としているが、それらの特定の挙げられている実施例及び条件に限定されることがないとして解釈される必要がある。結果的に、本発明は、下記の特定の実施形態又は実施例に限定されるものではないが、特許請求の範囲及びそれらの特許請求の範囲と同等のものにより制限される。
【００１０】
図１は、確実に進歩している継続的な連続形式の媒体についての印刷システム１００を示すブロック図である。システム１００は、プリンタ１０２と、プリンタ１０２によりインプリントする連続形式媒体１１６とを有する。プリンタ１０２はプリントエンジン１０８を有する。プリントエンジン１０８は、媒体１１６に印刷するように作動する装置、構成要素又はシステムを有する。図１においては、媒体１１６は、連続形式の予め印刷された感応性要素を有する。一般に、そのような種類の媒体は、‘感応性基板’として知られているストックのクラスに含まれる。感応性基板は、一般に、媒体に予め印刷された要素は固有値を有することが可能であるため、印刷処理中に所在が把握される。例えば、感応性要素は、照合基準、同一性カード、結びつき性等を有する。従って、感応性要素へのインプリントを有さない、進行している媒体１１６は、感応性要素の固有値のために問題がある。一般に、プリンタ１０２は、感応性要素を無効にするように媒体１１６が進められるにつれて、感応性要素にセキュリティ画像をインプリントするように作動可能である。図１は、媒体１１６に予め印刷された感応性要素の２つのセクションを示している。媒体１１６の第１セクションは、媒体１１６のロールとプリンタ１０２との間に位置付けられているプレフィードセクション１１２である。プレフィードセクション１１２は、プリンタ１０２によりインプリントする又は進められるためのプリンタ１０２に供給されている、予め印刷される感応性要素を有する。媒体１１６の第２セクションは、プリンタ１０２を出た媒体１１６のセクションに位置付けられたポストフィードセクション１１２′である。ポストフィードセクション１１２′は、プリンタ１０２を介して供給された後のインプリントされたセクション１１２のバージョンである、又はプリンタ１０２によりインプリントされた後の媒体１１６の相当するセクションであることが可能である。更に、媒体１１６は、切断、折り畳み、ステープリング等のための１つ又はそれ以上の印刷後ステーションに、図１における矢印により示されている方向に沿って進められることが可能である。
【００１１】
プリンタ１０２は、印刷制御器１０４も有する。印刷制御器１０４は、セキュリティ画像１０６を記憶するように作動可能であるメモリ１０４を有する。印刷制御器は一般に、媒体１１６にインプリントするための情報を有するプリントデータ１１０を受け入れ、そして媒体１１６にその情報をインプリントするときにプリントエンジン１０８で用いる色に及び／又は白黒にプリントデータ１１０をラスタライズする。図１においては、印刷制御器１０４は、セキュリティ画像を識別するように、及び感応性要素にセキュリティ画像をインプリントするようにプリントエンジン１０８に命令するように、感応性要素にインプリントすることなく、媒体１１６を進める命令を識別するように改善されている。例えば、媒体１１６は、予め印刷された照合基準（ｃｈｅｃｋ）を有することが可能である。従って、媒体１１６がインプリントされる（例えば、照合基準に関する受取人情報がインプリントされる）ことなく進められる場合に、そのようなインプリントされていない照合基準は、不正使用を回避するように手動による問題取り消し及び会計処理されることが可能である。
【００１２】
図２は、プリンタ１０２によりインプリントするための複数の感応性要素１１２−１乃至１２２−４を有する媒体１１６のセクション１１２の実施例を示している。セクション１１２は、インプリントするための感応性要素１１２−１乃至１１２−４についての４ｕｐレイアウトを示しているが、感応性要素１１２−１乃至１１２−４についての他のレイアウト及びオリエンテーションも可能である。図２においては、セクション１１２は、プリンタ１０２によりインプリントするための、従って、複数の印刷後ステーションにより処理するための媒体１１６の直線的セクションを表している。例えば、感応性要素１１２−１乃至１１２−４をインプリントした後、切断ステーションは、感応性要素１１２−１乃至１１２−４を解析するように、媒体１１６を切断することが可能である。
【００１３】
図３は、例示としての実施形態において媒体１１６を進めるコマンドの検出に応答して、媒体を安全に進める方法３００を示すフローチャートである。その方法３００のステップについては、図１のシステムに関して下で説明されているが、当業者は、方法３００が示されていない他のシステムにより実行されることが可能であることを認識することができる。更に、この図に示されているフローチャートのステップが全て含まれる訳ではなく、図示していない他のステップが含まれることが可能である。更に、ステップは、他の順序で実行されることが可能である。
【００１４】
ステップ３０２においては、印刷制御器１０４は、感応性要素１１２−１乃至１１２−４にインプリントせずに、媒体１１６を進めるプリンタ１０２におけるコマンドを検出する。当業者は、感応性要素１１２−１乃至１１２−４にインプリントせずに媒体１１６を進めるための印刷制御器により複数の有効なコマンドが検出されることが可能であることを認識することができる。例えば、媒体供給コマンド、処理不実行コマンド等が検出されることが可能である。更に、更に、プリントデータ１１０内のブランクページもプリンタ１０２により検出されることが可能であり、そのプリンタにおいては、そのようなブランクページ（又は、部分的なブランクページ）は、インプリントすることなく進められる１つ又はそれ以上の感応性要素１１２−１乃至１１２−４をもたらす可能性が高い。上記のように、感応性要素１１２−１乃至１１２−４にインプリントすることなく媒体１１６を進めることは、感応性要素１１２−１乃至１１２−４及び／又は媒体１１６に関連付けられる固有値のために問題があり得る。
【００１５】
ステップ３０４においては、印刷制御器１０４は、感応性要素１１２−１乃至１１２−４を無効にするためのセキュリティ画像１０６を識別する。セキュリティ画像１０６は、セキュリティ画像１０６をインプリントした後に、感応性要素１１２−１乃至１１２−４の無効をレンダリングするためのグラフィカルフィーチャ、テキスト、又はグラフィカルフィーチャ及びテキストの組み合わせを有することが可能である。例えば、セキュリティ画像１０６は、無効な、無意味な、法律上の効力のない、拘束力のない等の、感応性要素１１２−１乃至１１２−４を明確に識別する“キャンセルした”、“無効な”、“交渉の余地のない”又は他の情報を表す読み取り可能なテキストを有することが可能である。更に、セキュリティ画像１０６は、単独で又は上記の読み取り可能なテキストと組み合わせて、オリジナルな印刷文書においては可視的でないが、オリジナルの文書のコピーにおいては可視的になる画像であるパンタグラフを有することが可能である。セキュリティ画像１０６を識別するとき、印刷制御器１０４は、媒体１１６に関連付けられた１つ又はそれ以上のセキュリティ画像を識別するためのルックアップテーブルに問い合わせることが可能である。例えば、媒体１１６がプリンタ１０２においてロードされたとき、オペレータは、感応性要素１１２−１乃至１１２−４を無効にする複数のセキュリティ画像からセキュリティ画像１０６を選択することが可能である。更に、セキュリティ画像１０６は、感応性要素１１２−１乃至１１２−４を無効にするプリンタ１０２において予めプログラムされていることが可能である。
【００１６】
ステップ３０６においては、印刷制御器１０４は、媒体１１６は感応性要素１１２−１乃至１１２−４を無効にするように進められるにつれて、感応性要素１１２−１乃至１１２−４にセキュリティ画像１０６をインプリントするようにプリントエンジン１０８に命令する。図４は、例示としての実施形態において、感応性要素１１２−１乃至１１２−４にセキュリティ画像１０６をインプリントした結果を示している。図４は、インプリントされる前の媒体１１６のセクション１１２と、セキュリティ画像１０６が感応性要素１１２−１乃至１１２−４にインプリントされた後の媒体１１６のセクション１１２′とを示している。図４に示しているように感応性要素１１２−１乃至１１２−４にセキュリティ画像１０６をインプリントした後、感応性要素１１２−１乃至１１２−４の各々は無効にレンダリングされる。無効にされたとき、媒体１１６及び／又は感応性要素１１２−１乃至１１２−４は、残っている固有値を殆ど有さず又は固有値を有さず、故に、インプリントを伴わずに媒体１１６を進めることに関連する問題を解決することが可能である。一部の実施形態においては、イメージングシステムは、感応性要素１１２−１乃至１１２−４へのセキュリティ画像１０６の適用の確認のために感応性要素１１２−１乃至１１２−４の画像を捕捉することが可能である。更に、セクション１１２′におけるセキュリティ画像１０６の特定の適用は、図４の実施例において明示的に示されているその適用に限定されるものではない。更に、同じセキュリティ画像１０６が感応性要素１１２−１乃至１１２−４の各々にインプリントされて示されているが、当業者は、実施選択のために、異なるセキュリティ画像が異なる感応性要素１１２−１乃至１１２−４においてインプリントされることが可能であることを認識することができる。
【００１７】
図５は、磁気着色剤が例示としての実施形態のプリンタ１０２において存在するとき、感応性媒体を安全に進める方法５００を示すフローチャートである。その方法５００のステップについては図１のシステム１００に関連して説明しているが、当業者は、その方法５００が示されていない他のシステムにより実行されることも可能であることを認識することができる。
【００１８】
ステップ５０２においては、印刷制御器は、感応性要素１１２−１乃至１１２−４にインプリントすることを伴わずに媒体１１６を進めるようにプリンタ１０２における命令を検出する。一実施形態においては、コマンドを検出するステップは処理不実行（Ｎｏｎ  Ｐｒｏｃｅｓｓ  Ｒｕｎ  Ｏｕｔ（ＮＰＲＯ））コマンドを検出するステップを有する。インプリントすることを伴わずに媒体１１６を進めるためのＮＰＲＯコマンドを、当業者は認識している。ＮＰＲＯコマンドの一実施例は、連続形式デスクトッププリンタにおけるフォームフィードボタン、若しくは製造印刷システムにおけるＮＰＲＯボタン又はタッチスクリーン入力である。例えば、オペレータは、最初にプリンタ１０２に媒体１１６をロードするときにＮＰＲＯコマンドを生成するように、ユーザインタフェース（図示せず）を用いることが可能である。更に、オペレータは、プリンタ１０２からの媒体が機能していない印刷後ステーション（図示せず）にフィードしているときに、ＮＰＲＯコマンドを生成するように、ユーザインタフェースを用いることが可能である。更に、ＮＰＲＯコマンドは、プリンタ１０２から印刷後ステーションの故障した媒体に更に重ねられる又は推し進められる必要があるプリントジョブを終了するプリンタ１０２に応答して、オペレータにより開始されることが可能である。それにも拘わらず、プリンタ１０２でＮＰＲＯコマンドを生成することは、感応性要素１１２−１乃至１１２−４においてインプリントすることなしに典型的なプリンタにおけるＮＰＲＯコマンドが媒体１１６を進めるにつれて、潜在的に問題である。
【００１９】
他の実施形態においては、そのコマンドを検出することは、感応性要素１１２−１乃至１１２−４においてインプリントすることなしに媒体１１６を進めるプリントジョブにおいて空き論理ページを検出することを有する。例えば、ホストシステム（図示せず）は、プリントジョブを生成し、続いて、プリンタ１０２にプリントデータ１１０としてプリントジョブを転送することが可能である。プリントデータ１１０は、ＰｏｓｔＳｃｒｉｐｔデータ、ＰＤＦ（ポータブルドキュメントフォーマット）データ、インテリジェントプリンタデータストリーム（ＩＰＤＳ）データ、高機能プレゼンテーション（ＡＦＰ）データ、混合オブジェクト（ドキュメントコンテンツアーキテクチャ（ＭＯＤＣＡ）データ）、又は印刷制御器１０４により受け入れられて、プリントエンジン１０８のためのビットマップデータにプリントデータ１１０を変換するようにラスタライズされる他の種類のＰＤＬ等のページ記述言語（ＰＤＬ）データを有することが可能である。そのようなプリントデータ１１０は、プリンタ１０２により処理されるときに、進められている媒体１１６の空き部分をもたらし得る空き論理ページを有することが可能である。従って、感応性要素１１２−１乃至１１２−４においてインプリントすることなしに媒体１１６を進める空き論理ページを含むプリントジョブを印刷制御器１０４が受け入れるときに、印刷制御器１０４は感応性要素１１２−１乃至１１２−４に対してセキュリティ画像のインプリントを命令する。
【００２０】
ステップ５０４において、印刷制御器１０４は、磁気着色剤（例えば、磁気インク、磁気インク文字列認識（ＭＩＣＲ）処理により用いられることが可能である磁気トナー）がプリンタ１０２に存在する（即ち、装着されている）かどうかを判定する。媒体１１６が磁気着色剤でインプリントされるとき、専用装置が、磁気着色剤を読み取ることによりインプリントされた情報を読み取るように用いられることが可能である。例えば、銀行は、照合基準（ｃｈｅｃｋ）を自動的に処理するための磁気照合基準リーダを用いることが可能である。磁気着色剤が印刷制御器１０４により検出されない場合、ステップ５０６が実行される。磁気着色剤が印刷制御器により検出される場合、ステップ５０８が実行される。セキュリティ画像を識別するステップ５０８及びセキュリティ画像１０６をインプリントするステップ５１０は、図３の方法に関連付けて上で説明されている。
【００２１】
図６は、例示としての実施形態において感応性要素を位置付け、感応性媒体を安全に進める方法６００を示すフローチャートである。方法６００の複数のステップについて、図１のシステム１００を参照しながら説明するが、当業者は、方法６００が図示されていない他のシステムによっても実行可能であることを理解することができる。図６においては、進められる媒体において感応性要素を位置付けるステップ６０４が付加されている。一般に、ステップ６０２及び６０６は、方法３００及び５００に関して説明しているものと同様に実行される。
【００２２】
方法６００のステップ６０４においては、印刷制御器１０４は、進められるようになっている媒体において感応性要素１１２−１乃至１１２−４を位置付ける。例えば、印刷制御器１０４は、インプリントのためのセクション１１２（図２を参照されたい）において感応性要素１１２−１を位置付けることが可能である。また、印刷制御器１０４は、インプリントのための感応性要素１１２−１における特定の部分を位置付けることが可能である。一部の場合には、例えば、セキュリティ画像１０６が感応性要素１１２−１の重要な特徴を曖昧にするとき等の、感応性要素１１２−１の異なる部分にセキュリティ画像１０６をインプリントすることは好ましいことである。更に、プリントエンジン１０８によりプリントデータが予めインプリントされていない１つ又はそれ以上の感応性要素１１２−１乃至１１２−４にセキュリティ画像１０６をインプリントすることは好ましいことである。従って、印刷制御器１０４は先ず、プリントエンジン１０８によりインプリントされたデータを有する１つ又はそれ以上の感応性要素１１２−１乃至１１２−４を識別することが可能である。識別後、印刷制御器１０４は、それらの感応性要素へのセキュリティ画像１４０の印刷を回避することが可能である。
【００２３】
ステップ６０８においては、印刷制御器１０４は、媒体が進められるにつれて、位置付けられている感応性要素にセキュリティ画像１０６をインプリントする。
【００２４】
図７は、例示としての実施形態において連続形式媒体を安全に進める他の印刷システムを示すブロック図である。システム７００は、プリンタ７０２と、プリンタ７０２によりインプリントする連続形式媒体１１６とを有する。プリンタ７０２は、オペレータ（図示せず）がプリンタ７０２を制御するコマンドを生成するように一般に作動するユーザインタフェース７０４を有する。ユーザインタフェース７０４は、プリンタ７０２を制御するコマンドを生成するように１つ又はそれ以上のボタン又はタッチスクリーンインタフェースを有することが可能である。例えば、ユーザインタフェース７０４は、プリンタ７０２を介して媒体１１６を進めるＮＰＲＯコマンドを生成することが可能である。
【００２５】
図８は、プリンタ７０２によりインプリントする複数の感応性要素を有する媒体１１６のプレフィードセクション１１２の実施例を示している。特に、図８は、セクション１１２が照合基準８０２乃至８０５を有することを示している。媒体１１６が照合基準８０２乃至８０５を有するとき、プリンタ７０２は、支払先情報、照合基準量情報等の１つ又はそれ以上の照合基準８０２乃至８０５にインプリントする情報を含むプリントデータ１１０を受信することが可能である。例えば、システム７００は、例えば、かなり多くの支払先について政府機関照合基準を生成することにより、複数の照合基準印刷作動を実行することが可能である。
【００２６】
図９は、例示としての実施形態においてＮＰＲＯコマンドを検出することに応答して、照合基準ストックを安全に進める方法９００を示すフローチャートである。方法８００の複数のステップについて、図７のシステム７００を参照して説明しているが、当業者は、方法８００が図示されていない他のシステムにより実行されることも可能であることを認識することができる。
【００２７】
ステップ９０２においては、印刷制御器１０４は、媒体１１６を進めるユーザインタフェース７０４により生成されたＮＰＲＯコマンドを検出する。プリンタ７０２でＮＰＲＯコマンドを生成することは、典型的なプリンタにおけるＮＰＲＯコマンドが照合基準８０２乃至８０５にインプリントすることなしに媒体１１６を進めるにつれて、潜在的に問題になる。
【００２８】
ステップ９０４においては、印刷制御器は、照合基準８０２乃至８０５を無効にするためのセキュリティ画像１０６を識別する。上記のように、セキュリティ画像１０６は、セキュリティ画像１０６をインプリントした後に、照合基準８０２乃至８０５の無効をレンダリングするためのグラフィック特徴、テキスト、又はグラフィック特徴及びテキストを有することが可能である。例えば、セキュリティ画像１０６は、無効な、無意味な、法律上の効力のない、拘束力のない等である照合基準８０２乃至８０５を明確に識別する“キャンセルされた”、“無効の”“交渉の余地のない”、又はある他の情報を表す読み取り可能テキストを有することが可能である。更に、セキュリティ画像１０６は、オリジナルに印刷された文書において可視的でない画像であるが、オリジナルの文書の複製においては可視的になる上記の読み取り可能テキスト、パンタグラフを単独で又は組み合わせて有することが可能である。
【００２９】
ステップ８０８においては、印刷制御器１０４は、媒体が進められるにつれて、照合基準８０２乃至８０５にセキュリティ画像１０６をインプリントするようにプリントエンジン１０８に命令する。図１０は、例示としての実施形態において図８の予め印刷された照合基準８０２乃至８０５にセキュリティ画像１０６をインプリントした結果を示している。
【００３０】
図１１は、プリンタ７０２によりインプリントする複数の感応性要素を有する媒体１１６のプレフィードセクション１１２の実施例を示している。具体的には、図１１は、セクション１１２が識別カード１１０２乃至１１０５を有することを示している。識別カード１１０２乃至１１０５には、社会保障カード、運転免許証、軍人識別カード等がある。媒体１１６が識別カード１１０２乃至１１０５を有するとき、プリンタ７０２は、例えば、名前、住所、誕生日、識別カードの有効期限等の、１つ又はそれ以上の識別カード１１０２乃至１１０５にインプリントする情報を有するプリントデータ１１０を受信することが可能である。例えば、システム７００は、例えば、政府機関識別カードを生成することにより、複数の識別カード印刷作動を実行することが可能である。
【００３１】
図１２は、例示としての実施形態においてＮＰＲＯコマンドを検出することに応答して識別カードストックを安全に進める方法１２００を示すフローチャートである。方法１２００の複数のステップについては、図７のシステム７００に関連付けて説明しているが、当業者は、方法１２００が図示していない他のシステムにより実行することも可能であることを認識することができる。
【００３２】
ステップ１１０２においては、印刷制御器１０４は、媒体１１６を進めるユーザインタフェース７０４により生成されたＮＰＲＯコマンドを検出する。例えば、ＮＰＲＯコマンドは、プリンタ７０２を介して図１１の識別カード１１０２乃至１１０５を進めるように生成されることが可能である。ステップ１１０４においては、印刷制御器は、図１１の識別カード１１０２乃至１１０５を無効にするセキュリティ画像１０６を識別する。ステップ１１０８においては、印刷制御器１０４は、媒体１１６が進められるにつれて、識別カード１１０２乃至１１０５にセキュリティ画像１０６をインプリントするようにプリントエンジン１０８に命令する。図１３は、例示としての実施形態において予め印刷された識別カード１１０２乃至１１０５にセキュリティ画像１０６をインプリントした結果を示している。
【００３３】
本発明は、全体的にハードウェアの実施形態、全体的にソフトウェアの実施形態、又はハードウェア要素及びソフトウェア要素の両方を有する実施形態の形をとることが可能である。好適な実施形態においては、本発明は、ファームウェア、常駐のソフトウェア、マイクロコード等を有するソフトウェアにおいて実施されるが、それに限定されるものではない。図１４は、コンピュータ読み取り可能媒体１４０６が本明細書で開示している方法を実行する命令を与えることが可能であるシステムを示している。
【００３４】
更に、本発明は、コンピュータ又は何れかの命令実行システムで用いる若しくはそれらと接続して用いるプログラムコードを与えるコンピュータ使用可能又はコンピュータ読み取り可能媒体１４０６からアクセス可能なコンピュータプログラムプロダクトの形をとることが可能である。本明細書の目的のために、コンピュータ使用可能又はコンピュータ読み取り可能媒体１４０６は、命令実行システム、機器又は装置により用いられる若しくはそれらと接続されて用いられるプログラムを有する、記憶している、通信する、伝播する、又は送信することが可能である何れかの装置であることが可能である。
【００３５】
媒体１４０６は、電気的、磁気的、電磁気的、赤外線又は半導体システム（又は機器又は装置）若しくは伝播媒体であることが可能である。コンピュータ読み取り可能媒体１４０６の例としては、半導体又は固体メモリ、磁気テープ、取り外し可能コンピュータディスク、ランダムアクセスメモリ（ＲＡＭ）、読み出し専用メモリ（ＲＯＭ）、剛性の磁気ディスク及び光ディスクがある。現在の光ディスクには、例えば、ＣＤ−ＲＯＭ（コンパクトディスク−読み出し専用メモリ）、ＣＤ−Ｒ／Ｗ（コンパクトディスク−読み出し／書き込み）及びＤＶＤがある。
【００３６】
プログラムコードを記憶する及び／又は実行するのに適切であるデータ処理システムは、システムバス１４１０を介してメモリ要素１４０８に直接的に又は間接的に結合された少なくとも１つのプロセッサを有する。メモリ要素１４０８は、プログラムコードの実際の実行中に用いられるローカルメモリと、バルク記憶装置と、コードが実行中にバルク記憶装置から検索される回数を減少させるように、少なくとも一部のプログラムコードの一時的記憶を提供するキャッシュメモリとを含むことが可能である。
【００３７】
入力／出力即ちＩ／Ｏ装置１４０４（キーボード、ディスプレイ、ポインティング装置等を含むが、それらに限定されない）は、直接に又は介在Ｉ／Ｏ制御器を介してシステムに結合されていることが可能である。
【００３８】
ネットワークアダプタは、データ処理システムが、例えば、ホストシステムのインタフェースを介して他のデータ処理システムに、若しくは、介入プライベートネットワーク又はパブリックネットワーク、例えば、プリントエンジンインタフェース１４１４を介して遠隔プリンタ又は記憶装置に、結合されるようになることを可能にするシステムに結合されることも可能である。モデム、ケーブルモデム及びイーサネット（登録商標）は、まさに現在利用可能なネットワークアダプタである。
【００３９】
本明細書においては特定の実施形態について記載しているが、本発明の範囲はそれらの特定の実施形態に限定されるものではない。本発明の範囲は、特許請求の範囲及び何れかのそれと同等なものにより規定される。
【符号の説明】
【００４０】
１０２  プリンタ
１０４  印刷制御器
１０６  セキュリティ画像
１０８  プリントエンジン
１１４  メモリ
７０２  プリンタ
７０４  ユーザインタフェース
１４００  システム
１４０２  プロセッサ
１４０４  Ｉ／Ｏ装置
１４０６  プログラムプロダクト記憶媒体
１４０８  プログラム及びデータメモリ
１４１２  ホストシステムインタフェース
１４１４  プリントエンジンインタフェース
【図１】
2011245863.tif 000003
【図２】
2011245863.tif 000004
【図３】
2011245863.tif 000005
【図４】
2011245863.tif 000006
【図５】
2011245863.tif 000007
【図６】
2011245863.tif 000008
【図７】
2011245863.tif 000009
【図８】
2011245863.tif 000010
【図９】
2011245863.tif 000011
【図１０】
2011245863.tif 000012
【図１１】
2011245863.tif 000013
【図１２】
2011245863.tif 000014
【図１３】
2011245863.tif 000015
【図１４】
2011245863.tif 000016